(57)【要約】【課題】1人力で持ち運びが可能であり、かつコンクリートポールへの取付け組立ておよび設置の容易な分割式プレキャストコンクリート基礎を提供する。【解決手段】鉛直方向と水平方向にそれぞれ複数に分割された複数のパーツ1,2と、水平方向に分割された複数のパーツ1,2同士を連結する複数の連結ボルト６から構成する。中央にポール固定用穴７を鉛直方向に分割された複数のパーツ1,2を貫通させて設ける。鉛直方向に複数に分割された各パーツ1,2の接合面に互いに嵌合し合う凹部1gと凸部2gをそれぞれ設ける。ポール固定用穴7内にコンクリートポール３を立て込み、その周囲にモルタル等の固化材を充填する。【選択図】図６
2014125830.tif 000002
【特許請求の範囲】
【請求項１】
ポールを立て付けるための基礎として使用される分割式プレキャストコンクリート基礎において、鉛直方向と水平方向にそれぞれ複数に分割された複数のパーツと、水平方向に分割された複数のパーツ同士を連結する複数の連結ボルトとから構成され、中央にポール固定用孔が鉛直方向に分割された複数のパーツを貫通して設けられ、各パーツの外側面に軽量化と前記ポールの転倒に対する抵抗力を付与する切欠き部が複数設けられ、かつ鉛直方向に複数に分割された各パーツの結合面に互いに嵌合し合う凹部と凸部がそれぞれ設けられてなることを特徴とする分割式プレキャストコンクリート基礎。
【請求項２】
請求項１記載の分割式プレキャストコンクリート基礎において、切欠き部は平面に見て断面略台形状および/または断面略三角形状に形成されてなることを特徴とする分割式プレキャストコンクリート基礎。
【請求項３】
請求項１または２記載の分割式プレキャストコンクリート基礎において、各パーツの重量は30kg以下であることを特徴とする分割式プレキャストコンクリート基礎。
【請求項４】
請求項１〜３のいずれかひとつに記載の分割式プレキャストコンクリート基礎において、凹部と凸部に直線状のエッジがそれぞれ設けられていることを特徴とする分割式プレキャストコンクリート基礎。
【請求項５】
鉛直方向と水平方向にそれぞれ複数に分割された複数のパーツから構成され、中央にポール固定用穴が鉛直方向に分割された複数のパーツを貫通して設けられ、かつ各パーツの外側面に軽量化と前記ポールの転倒に対する抵抗力を付与する切欠き部が複数設けられてなる分割式プレキャストコンクリート基礎の組立方法において、水平方向に隣接する各パーツ同士は、各パーツを水平方向に貫通する連結ボルトによって連結し、鉛直方向に隣接する各パーツ同士は各パーツ間の結合面に設けられた凹部と凸部を互いに嵌合させて連結することを特徴とする分割式プレキャストコンクリート基礎の組立方法。
【発明の詳細な説明】
【技術分野】
【０００１】
本発明は、鉄道用のコンクリートポールなどを設置するに際して、台風などによる風圧力を受けても転倒しないことを目的に取り付けるプレキャストコンクリート製の基礎製品であって、基礎を分割し組立式とすることで、1人力で持ち運びが可能でありコンクリートポールへの取付け組立て設置も容易な分割式プレキャストコンクリート基礎に関する。
【背景技術】
【０００２】
従来から、鉄道沿線の信号機や電気機器の設置に使用されているコンクリートポールは、新規に設置する際には、地中部に転倒を防止する目的で小型なプレキャストコンクリート製の根枷を取り付けている。
【０００３】
しかし、近年、情報化の進展に伴い、信号機や電気機器に比べて寸法が大きな光複合ケーブル対応成端箱などが、コンクリートポールに取付けられることが多くなってきている。この結果、コンクリートポールの設置の際には、取付けられた光複合ケーブル対応成端箱などの面積が大きくなって、台風などで発生する風圧力が大きくなることで、従来使用されているプレキャストコンクリート製の根枷では転倒を防止することができなくなっている。
【０００４】
この結果、コンクリートポールに面積が大きい光複合ケーブル対応成端箱などを設置する際は、根枷基礎でなく新規に風圧力に対して転倒しない大きさのコンクリート基礎を設置することが必要となった。
【０００５】
しかし、コンクリート基礎の設置工事では、生コンクリートによる現場打設となることから、鉄道沿線での距離が離れた場所での施工が生コンクリートの輸送供給において大きな障害となっている。
【０００６】
その結果、コンクリートポールに面積が大きい光複合ケーブル対応成端箱などを設置する際は、1人力で持ち運びが可能でありコンクリートポールへの取付け組立て設置も容易であるプレキャストコンクリート製の基礎の開発が求められている。
【先行技術文献】
【特許文献】
【０００７】
【特許文献１】特開平5-239835号公報
【発明の概要】
【発明が解決しようとする課題】
【０００８】
コンクリートポール用のプレキャストコンクリート製分割式基礎の重量は、１人力で持ち運びおよび取付設置を可能にするために、30kg以下とすることが条件となった。
【０００９】
本基礎の大きさは、寸法が0.9×1.25ｍの光複合ケーブル対応成端箱をコンクリートポール用に取付けた場合を条件とすると、台風などで発生する設計風速40ｍ/秒の風圧力を水平荷重として、受けても転倒しないためには、許容抵抗曲げモーメントによる構造計算の結果、高さ0.75ｍ、幅0.45×0.45ｍの角柱とする必要があった。
【００１０】
この寸法における本基礎の重量は、普通コンクリートの単位容積質量を2.3kg/lとして算出すると約350kgとなる。本基礎の重量を30kgとするには、分割組み立て方式の基礎とする必要があり、角柱形状の基礎では、12個とする必要があった。
【００１１】
12個の基礎を設置施工現場において、運搬、設置および組み立てて完成するには、多大な手間と煩雑な作業が必要となる。
【００１２】
本発明は、以上の課題を解決するためになされたもので、基礎を分割し組立式とすることにより、１人力での持ち運びが可能でかつコンクリートポールへの取付け組立ておよび設置を容易に行えるようにした分割式プレキャストコンクリート基礎を提供することを目的とするものである。
【課題を解決するための手段】
【００１３】
本発明者らは、上記課題について鋭意検討した結果、コンクリートポール用のプレキャストコンクリート製の分割式基礎の形状を、単純な角柱形状から、許容抵抗曲げモーメント力を維持しながら、軽量化するために、断面を切欠きした切欠き形状化とすることが有効であるとした。
【００１４】
また、基礎を複数のパーツに分割して組立式とし、各パーツの組立て連結は、上下の連結部を凹凸とすることおよび水平方向に連結ボルトで連結とすることで組立てを容易とした。
【００１５】
すなわち、本発明は、ポールを立て付けるための基礎として使用される分割式プレキャストコンクリート基礎において、鉛直方向と水平方向にそれぞれ複数に分割された複数のパーツと、水平方向に分割された複数のパーツ同士を連結する複数の連結ボルトとから構成され、中央にポール固定用孔が鉛直方向に分割された複数のパーツを貫通して設けられ、各パーツの外側面に軽量化と前記ポールの転倒に対する抵抗力を付与する切欠き部が複数設けられ、かつ鉛直方向に複数に分割された各パーツの結合面に互いに嵌合し合う凹部と凸部がそれぞれ設けられてなることを特徴とするものである。
【００１６】
本発明の基礎によれば、１人力で持ち運びが可能であり、コンクリートポールへの取付け組立ておよび設置も容易に行うことができる。
【００１７】
本基礎の分割した１つのパーツの重量は30kg以下であることが好ましい。また、本基礎の寸法は、切欠きした断面積に対する高さを、重量が30kg以下となることを考慮して決定すればよい。さらに、本基礎の形状は、断面を単純な角柱形状から切欠きした切欠き形状化とすることにより、切欠き面積を大きくすることで大幅に軽量化が達成できる。
【００１８】
また、切欠き部は平面に見て、例えば断面略台形状および/または断面略三角形状(断面略Ｖ状)に形成することにより、すなわち切欠き部が先端方向に徐々に広がりをなすように形成することで(図６参照)、多くの広い断面切欠き面を確保することによりポールの転倒に対する抵抗力が増すため、台風などによる風圧力を受けても、ポールが容易に転倒するのを防止することができる。
【００１９】
切欠き面積の大きさは、基礎として台風などで発生する設計風速40ｍ/秒の風圧力を水平荷重に対して、転倒しない許容抵抗曲げモーメントが作用しても構造上耐えることを考慮して決定すればよい。なお、切欠き部の形状は上記した形状に限定されるものではない。
【００２０】
本基礎の製造に使用されるコンクリートは、一般に使用されている設計基準強度が24N/mm2以上の普通コンクリートで適用できる。
【００２１】
本基礎の組立て方法は、水平方向に連結ボルトで連結することで、組立てを容易に行うことができ、また１段おきに切欠きした面に連結ボルトで固定する穴を水平方向に設けて、連結ボルトで強固に連結できる構造とすることができる。
【００２２】
さらに、上下の連結部を凹部と凸部のくさび連結形状とすることで、上下パーツ間の組立てを容易に行うことができる。連結部の構造は、凸部のオス側の突起部は直線状にエッジを有しており、凹部のメス側も直線状にエッジを有した固定溝とすることにより、くさび状にかみ合い容易に連結固定できる構造とすることができる。
【発明の効果】
【００２３】
本発明のコンクリートポール用のプレキャストコンクリート製分割式基礎は、コンクリートポールに面積が大きい光複合ケーブル対応成端箱などを設置する際に、台風などで発生する設計風速40ｍ/秒の風圧力の水平荷重が作用しても転倒しないことが実証できた。
【００２４】
更に、転倒防止性能実証実験では、関東ローム層の地盤に掘削してＳ2.5ｍのコンクリートポールに分割式基礎を設置し、置き換え用の砕石などは使用せずに、最も簡易な方法として、そのまま現場掘削土（関東ローム）で埋め戻して人力転圧で施工しても、転倒せず、除荷後は完全に復旧することが実証できた。
【００２５】
本分割式基礎は、１人力で持ち運びが可能でありコンクリートポールへの取付け組立て設置も容易である。また、コンクリート製であることから、構造状強靭堅固であり、耐久性にも優れる。
【図面の簡単な説明】
【００２６】
【図１】コンクリートポールに幅0.9ｍ高さ1.25ｍの光複合ケーブル対応成端箱を取付けた場合において、風圧力（ここでは、40ｍ/ｓを考慮）を受けることによって発生する水平荷重および曲げモーメントを示した概念図であり、図１(a)は正面図、図１(b)は側面図である。
【図２】コンクリートポールの転倒防止に従来より使用されているプレキャストコンクリート製の根枷であり、図２(a)は平面図、図２(b)は正面図、図２(c)はコンクリートポールに2枚の根枷を連結ボルトで取り付けた概念図である。
【図３】コンクリートポールに幅0.9ｍ高さ1.25ｍの光複合ケーブル対応成端箱を取付けた場合において、風圧力（ここでは、40ｍ/ｓを考慮）を受けることによって発生する水平荷重および曲げモーメンを受けた場合の挙動を示し、図３(a)は、コンクリートポールに従来使用されているプレキャストコンクリート製の根枷を取り付けた場合、図３(b)はコンクリートポールに本基礎を取り付けた場合の挙動を示す概念図である。
【図４】図４(a)はコンクリートポールに設置された現場打ちコンクリート基礎の概念図、図４(b)はコンクリートポールに設置された本発明の分割式プレキャストコンクリート基礎の概念図である。
【図５】本発明に係る分割式プレキャストコンクリート基礎の１つのパーツのブロックを示す概念図である。
【図６】本発明に係る分割式プレキャストコンクリート基礎の詳細を示したものであり、図６(a)は平面図、図６(b)は正面図である。
【図７】本発明に係る分割式プレキャストコンクリート基礎の転倒防止性能実証実験の実験方法の概要を示す説明図である。
【図８】従来より使用されているプレキャストコンクリート製の根枷の転倒防止性能実証実験の実験方法の概要を示す概念図である。
【図９】転倒防止性能実証実験において、水平荷重を載荷した状態での水平移動距離および傾斜角度を計測する方法を示す概念図である。
【図１０】実施例および比較例として、本発明に係る分割式プレキャストコンクリート基礎および従来より使用されているプレキャストコンクリート製の根枷の転倒防止性能実証実験の実験結果を示すグラフであり、水平荷重により傾いた状態での水平移動距離を示したものである。
【図１１】実施例および比較例として、本発明に係る分割式プレキャストコンクリート基礎および従来より使用されているプレキャストコンクリート製の根枷の転倒防止性能実証実験の実験結果を示すグラフであり、水平荷重により傾いた状態での傾斜角度を示したものである。
【発明を実施するための形態】
【００２７】
以下、本発明の実施形態について詳細に説明する。なお、本発明は、以下に説明する実施形態に限定されるものではない。
【００２８】
Ａ．分割式基礎の使用材料
本発明のコンクリートポール用のプレキャストコンクリート製分割式基礎は、セメント、普通細骨材、普通粗骨材と減水剤または高性能減水剤、必要に応じて添加される消泡剤等からなるものであり、一般に製造されているプレキャストコンクリート製品と同様である。
【００２９】
[構成材料]
（１）セメント
本発明で用いるセメントは、普通ポルトランドセメント、早強ポルトランドセメント等のポルトランドセメントおよび高炉セメント等の混合セメントでも良く、セメントの種類に限定されない。
【００３０】
（２）細骨材
本発明で用いる細骨材は、従来からコンクリートに使用されているものでよく、川砂、陸砂等の天然砂、砕砂、珪砂等である。細骨材の細骨材率は４０〜５５％が好ましい。細骨材率を上記範囲にすることにより、流動性や強度といったコンクリートの基本性能を低下させることなく、表面気泡（アバタ）や色むらといったコンクリート表面の美観問題の解決が図れる。
【００３１】
（３）粗骨材
本発明で用いる粗骨材は、従来からコンクリートに使用されているものでよく、川砂利、等の天然砂利、砕石等である。
【００３２】
（４）減水剤または高性能減水剤
本発明でも、従来のコンクリートと同様、減水剤または高性能減水剤を用いる。高性能減水剤の種類は特に限定されないが、ポリカルボン酸系のものが好ましい。添加量はセメントに対して、０．５〜１．２％程度である。
【００３３】
（５）消泡剤
本発明では、必要に応じて消泡剤を添加する。本発明のコンクリートは、いずれも高い流動性と優れた強度発現が得られるが、配合によっては、連行空気量が多くなったりコンクリート表面に微細な気泡が発生したりすることがある。このような場合に消泡剤を使用すると、表面が滑らかなコンクリートが得られる。消泡剤の種類は、従来からコンクリートに使用されているものであれば特に限定されない。
【００３４】
（６）混練水
本発明では、混練水の単位水量は１８５ｋｇ／ｍ３以下であり、水／セメントの比率は55％以下であるのが好ましい。単位水量が１８５ｋｇ／ｍ３を超えるとブリージング水が発生し易くなったり必要強度が確保し難くなったりする。また、水／セメントの比率が上記範囲をはずれると、設計基準強度を確保することが難しくなる。より好ましい単位水量は、１６０〜１８０ｋｇ／ｍ３である。
【００３５】
Ｂ．光複合ケーブル対応端箱を取付けたコンクリートポールの基礎安定
図１、図２、図３は、コンクリートポール３が風圧力を受けることによって発生する水平荷重および曲げモーメントに対して、従来使用されている根枷５では、転倒するが、コンクリート基礎では転倒しないことを示すものである。
【００３６】
図１は、コンクリートポール３に幅0.9ｍ高さ1.25ｍの光複合ケーブル対応成端箱４を取付けた場合において、風圧力（ここでは、40ｍ/ｓを考慮）を受けることによって発生する水平荷重および曲げモーメンを示した概念図である。
【００３７】
表１は、コンクリートポールに幅0.9ｍ高さ1.25ｍの光複合ケーブル対応成端箱４を取付けた場合において、風圧力（ここでは、40ｍ/ｓを考慮）を受けることによって発生する水平荷重および曲げモーメントを計算した表である。計算の結果、水平力は、Ｈ＝0.139 tonf、曲げモーメントは、Ｍ＝0.1351 tonf・mとなる。
【００３８】
図２は、コンクリートポール３の転倒防止に従来より使用されているプレキャストコンクリート製の根枷５である。図２(a),(b)は根枷５の形状を示し、図２(c)はコンクリートポール３に２枚の根枷５を連結ボルト６で取り付けた概念図である。
【００３９】
【表１】
2014125830.tif 000003
【００４０】
図３は、コンクリートポール３に幅0.9ｍ高さ1.25ｍの光複合ケーブル対応成端箱４を取付けた場合において、風圧力（ここでは、40ｍ/ｓを考慮）を受けることによって発生する水平荷重および曲げモーメンを受けた場合の概念図である。
【００４１】
図３(a)は、従来使用されているプレキャストコンクリート製の根枷５では、風圧力から発生する曲げモーメントに対して、許容抵抗曲げモーメントが小さく、その結果転倒してしまう様を示す概念図である。図３(b)は、コンクリート基礎では、風圧力から発生する曲げモーメントに対して、許容抵抗曲げモーメントが大きく、その結果転倒しない様を示す概念図である。
【００４２】
表２は、コンクリートポールに幅0.9ｍ高さ1.25ｍの光複合ケーブル対応成端箱を取付けた場合において、風圧力（ここでは、40ｍ/ｓを考慮）を受けることによって発生する水平力および曲げモーメントに対して、根入れ長が0.75ｍ根入れ幅が0.45ｍのコンクリート基礎を設置した場合について安定計算を実施した表である。
【００４３】
【表２】
2014125830.tif 000004
【００４４】
その結果、根入れ長が0.75ｍ根入れ幅が0.45ｍのコンクリート基礎を設置すると、風速（ここでは、40ｍ/ｓを考慮）による水平力による曲げモーメントを受けても、許容でき転倒しないことが確認できた。
【００４５】
Ｃ．分割式基礎の形状および構造
本発明のコンクリートポール用のプレキャストコンクリート製分割式基礎の形状および構造は、図４、図５、図６に示すものである。本図において、本発明に係る分割式プレキャストコンクリート基礎Ａは、3段積みを示しているか、積み数および寸法は、各種コンクリートポール３および取付ける光複合ケーブル対応成端箱４等の条件によって、任意に変更することができる。
【００４６】
図４は、本発明に係る分割式プレキャストコンクリート基礎Ａと現場打設コンクリート基礎を比較した概念図である。図４(a)は、現場打ちコンクリート基礎を設置した場合を示し、図４(b)は、本発明のコンクリートポール用のプレキャストコンクリート製分割式基礎Ａを設置した場合を示し、大きさ(寸法)は概ね図示する通りである(図６(a),(b)等参照)。ただし、この寸法に限定されるものではないことはいうまでもない。
【００４７】
図５は、本発明に係る分割式プレキャストコンクリート基礎Ａの１つのパーツのブロックである。本パーツのブロック1,2の重量は、30ｋｇ以下であり、１人力で持ち運びが可能でコンクリートポール３への取付け組立て設置も容易である。
【００４８】
図６は、本発明に係る分割式プレキャストコンクリート基礎Ａの詳細を示したものの一例であり、断面切欠き面の箇所数を多く、断面積を大きく設けて軽量化とコンクリートポール３の転倒に対する抵抗力の増大を達成している。
【００４９】
なお、図６において、各パーツ1,2の外側面に平面に見て断面略台形状の切欠き部Ｂと断面略三角形状(断面略Ｖ字状)の切欠き部Ｃを設けることにより、広い断面切欠き面1a〜1gと断面切欠き面2a〜2gがそれぞれ形成されている。
【００５０】
また、断面略台形状の切欠き部Ｂと断面略三角形状(断面略Ｖ字状)の切欠き部Ｃを設けることにより、基礎Ａの側部に四方に突出する複数のリブＤが形成され、当該リブＤもコンクリートポール３の転倒に対する大きな抵抗力を付与している。
【００５１】
本基礎Ａは、３段積みで６つのパーツ1,2を組立て、各段の横方向のパーツ1,2どうしは連結ボルト６でそれぞれ連結固定する仕様としている。
【００５２】
また、上下パーツ1,1および2,2間の連結部は凹部1gと凸部2gのくさび連結形状とすることで、組立てが容易であり、１段おきに切欠きした面に連結ボルト６で固定するボルト連結穴1aとボルトインサート2aを水平方向に設けて、強固に連結ボルト６で連結できる構造としている。なお、ボルト連結穴1aはパーツ１側の切欠き面に設けられ、ボルトインサート2aはパーツ２側の切欠き面に設けられている。
【００５３】
また、本基礎Ａの中央部分にコンクリートポール固定用穴７が各段のパーツ1,2を鉛直方向に貫通して設けられている。そして、コンクリートポール３は、当該コンクリートポール固定用穴７内に立て込み、その周囲にモルタル等の固化材を充填することにより本基礎Ａに立て付けられている。
【００５４】
表３は、現場打ちコンクリート基礎と分割式プレキャストコンクリート基礎の比較を示したものである。現場打ちコンクリート基礎は、型枠を組んで生コンクリートを打設するもので、総重量は350ｋｇとなる。また、型枠工、コンクリートの打設工、締め固め工および養生工が必要となり、コンクリートが所定強度に達するまで供用開始できない。
【００５５】
【表３】
2014125830.tif 000005
【００５６】
一方、分割式プレキャストコンクリート基礎は、プレキャストコンクリート製品なので、コンクリートの打設が必要なくなり、現場までの運搬と組立てで構築できることから、省力化・コスト低減に寄与できる。また、施工後即日に供用開始できる。また、総重量は、162ｋｇと現場打ちコンクリート基礎の1/2以下まで軽量化している。
【００５７】
[実施例]
本発明の実施例について図面を参照して説明すると、図７は実施例として、本発明に係る分割式プレキャストコンクリート基礎Ａの転倒防止性能実証実験の実験方法の概要を示したものである。分割式プレキャストコンクリート基礎Ａは、現状地盤が10ｃｍの道路用砕石の下に関東ローム層であったので、掘削してＳ2.5ｍのコンクリートポール３に、重量が30ｋｇ以下のパーツのブロック１と２を複数個、容易に１人力で持ち運び取付け組立て設置した後、置き換え用の砕石などは使用せずに、最も簡易な方法として、そのまま現場掘削土（関東ローム）で埋め戻して人力転圧した。これは、転圧機械も使用せずに最も転倒に対して危険側で施工した場合での性能確認である。
【００５８】
水平荷重は、風圧力（ここでは、40ｍ/ｓを考慮）を受けることによって発生する水平荷重および曲げモーメントと同一として、反力用の基礎としてコンクリート架台（約650ｋｇ）に取付けた滑車付鋼製架台とワイヤーを使用して、コンクリート錘の積載により作用させた。水平荷重は、曲げモーメントより荷重点での水平荷重を算出すると、下記のとおりとなる。
【００５９】
荷重点での水平荷重＝（曲げモーメントの合計0.1316+0.0035＝0.1351 tonf・m）÷（荷重点の高さ1.55ｍ）＝  0.0872ton = 87.2kg
【００６０】
実施例における分割式プレキャストコンクリート基礎Ａの転倒防止性能実証実験の実験では、図７に示すとおり0.0872 tonf（87.2ｋｇ）の水平荷重を、Ｓ2.5ｍのコンクリートポール３に作用させて、その変位量を測定した。変位量は、載荷荷重毎にポール上部に下げ振りを取り付けて、水平移動距離を測定した。
【００６１】
図９は、転倒防止性能実証実験において、水平荷重を載荷した状態での水平移動距離および傾斜角度を計測する方法を示したものである。
【００６２】
本表４は、転倒防止性能実証実験の実験結果であり、実施例として、本発明に係る分割式プレキャストコンクリート基礎の転倒防止性能実証実験の実験結果を示したものである。
【００６３】
図１０は実施例として、本発明に係る分割式プレキャストコンクリート基礎Ａの転倒防止性能実証実験の実験結果であり、水平荷重により傾いた状態での水平移動距離を示したものである。
【００６４】
図１１は実施例として、本発明に係る分割式プレキャストコンクリート基礎Ａの転倒防止性能実証実験の実験結果であり、水平荷重により傾いた状態での傾斜角度を示したものである。
【００６５】
本発明に係る分割式プレキャストコンクリート基礎Ａは、転倒防止性能実証実験の結果、水平荷重風圧力（風速40ｍ/ｓ）における水平移動距離は6ｍｍ、最大回転角度は0.23°であり、ほとんど傾斜しなかった。また、水平荷重の1.87倍の安全率の水平荷重が作用しても水平移動距離は27ｍｍ、回転角度は1.00°でありほとんど傾斜しなかった。また、除荷後も水平移動距離7ｍｍ、回転角度0.26°とほぼ完全復旧した。
【００６６】
[結果の考察]
本発明に係る分割式プレキャストコンクリート基礎は、Ｓ2.5ｍのコンクリートポールに容易に１人力で持ち運び取付け組立て設置が可能であり、現場掘削土（関東ローム）で埋め戻して人力転圧実施した場合でも、風圧力（ここでは、40ｍ/ｓを考慮）を受けることによって発生する水平荷重に対して、また、1.87倍の安全率の水平荷重が作用しても、ほとんど傾斜せず除荷後も完全復旧でき、転倒の危険性はまったくないことが実証できた。
【００６７】
[比較例]
図８は比較例として、従来より使用されているプレキャストコンクリート製の根枷５の転倒防止性能実証実験の実験方法の概要を示したものである。実験方法および実験条件は、実施例と同一として実験を実施した。
【００６８】
本表４は、転倒防止性能実証実験の実験結果であり、比較例として、従来より使用されているプレキャストコンクリート製の根枷の転倒防止性能実証実験の実験結果を示したものである。
【００６９】
【表４】
2014125830.tif 000006
【００７０】
図１０は実施例として、従来より使用されているプレキャストコンクリート製の根枷の転倒防止性能実証実験の実験結果であり、水平荷重により傾いた状態での水平移動距離を示したものである。
【００７１】
図１１は実施例として、従来より使用されているプレキャストコンクリート製の根枷の転倒防止性能実証実験の実験結果であり、水平荷重により傾いた状態での傾斜角度を示したものである。
【００７２】
従来より使用されているプレキャストコンクリート製の根枷は、転倒防止性能実証実験の結果、水平荷重風圧力（風速40ｍ/ｓ）における水平移動距離は100ｍｍ、最大回転角度は3.70°と影響を受けて傾いた。一方、水平荷重の1.87倍の安全率における水平移動距離は245ｍｍ、回転角度は9.10°と更に大きく傾き、除荷後も水平距離180ｍｍ、角度6.68゜と大きく傾いたままで復旧しなかった。
【００７３】
[結果の考察]
従来より使用されているプレキャストコンクリート製の根枷は、現場掘削土（関東ローム）で埋め戻して人力転圧実施した場合では、風圧力（ここでは、40ｍ/ｓを考慮）を受けることによって発生する水平荷重に対して、大きく傾き、除荷後も大きく傾いたままで復旧しなかった。
【００７４】
【表１】
2014125830.tif 000007
【００７５】
本表は、コンクリートポールに幅0.9ｍ高さ1.25ｍの光複合ケーブル対応成端箱を取付けた場合において、風圧力（ここでは、40ｍ/ｓを考慮）を受けることによって発生する水平力および曲げモーメンを計算した表である。
【００７６】
【表２】
2014125830.tif 000008
【００７７】
本表は、コンクリートポールに幅0.9ｍ高さ1.25ｍの光複合ケーブル対応成端箱を取付けた場合において、風圧力（ここでは、40ｍ/ｓを考慮）を受けることによって発生する水平力および曲げモーメンに対して、根入れ長が0.75ｍ根入れ幅が0.45ｍのコンクリート基礎を設置した場合について安定計算を実施した表である。
【００７８】
【表３】
2014125830.tif 000009
【００７９】
本表は、現場打ちコンクリート基礎と分割式プレキャストコンクリート基礎の比較を示したものである。
【００８０】
【表４】
2014125830.tif 000010
【００８１】
本表は、転倒防止性能実証実験の実験結果であり、実施例として、本発明に係る分割式プレキャストコンクリート基礎および従来より使用されているプレキャストコンクリート製の根枷の転倒防止性能実証実験の実験結果を示したものである。
【産業上の利用可能性】
【００８２】
本発明は、鉄道用のコンクリートポール等を基礎に支持させて設置するに際し、基礎を分割し組立式とすることで、１人力で持ち運びが可能でありコンクリートポールへの取付け組立ておよび設置を容易に行うことができる。
【符号の説明】
【００８３】
１    分割式基礎の1パーツのブロックの連結ボルトのボルト差込側
１ａ  ボルト連結穴
１ｂ  軽量化用の断面切欠き面
１ｃ  軽量化用の断面切欠き面
１ｄ  軽量化用の断面切欠き面
１ｅ  軽量化用の断面切欠き面
１ｆ  軽量化用の断面切欠き面
１ｇ  ブロックの上下方向の連結用の凹部メス側の直線状にエッジを有した凹部
２    分割式基礎の1パーツのブロックの連結ボルトのナット側
２ａ  ボルトインサート
２ｂ  軽量化用の断面切欠き面
２ｃ  軽量化用の断面切欠き面
２ｄ  軽量化用の断面切欠き面
２ｅ  軽量化用の断面切欠き面
２ｆ  軽量化用の断面切欠き面
２ｇ  ブロックの上下方向の連結用の凸部オス側の直線状にエッジを有した凸部
３  コンクリートポール
４  光複合ケーブル対応成端箱
５  根枷
６  連結ボルト
７  コンクリートポール固定用穴
Ａ  基礎(分割式プレキャストコンクリート基礎)
Ｂ  平面台形状の切欠き部
Ｃ  平面三角形状の切欠き部
Ｄ  リブ
【図１】
2014125830.tif 000011
【図２】
2014125830.tif 000012
【図３】
2014125830.tif 000013
【図４】
2014125830.tif 000014
【図５】
2014125830.tif 000015
【図６】
2014125830.tif 000016
【図１０】
2014125830.tif 000017
【図１１】
2014125830.tif 000018
【図７】
2014125830.tif 000019
【図８】
2014125830.tif 000020
【図９】
2014125830.tif 000021